Podtech/llm-jp-corpus-v4-ja_patent huggingface dataset:
【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
自動車あるいは車両の外面の被洗浄面に付着した汚れ等を洗浄する為の洗車機に使用する洗車機用洗浄ブラシにおいて、前記洗車機用洗浄ブラシは、ブラシ片、及び回転軸を有し、前記ブラシ片は開放側端部にスリットを有して前記回転軸の外周部に該回転軸の半径方向に延出して形成されてあると共に、前記スリットにより分割された細分割部を有し、前記スリットは前記回転軸の軸心から該回転軸の半径方向に延出する垂線にたいして、傾斜角度を有して形成されてあることを特徴とする洗車機用洗浄ブラシ。
【請求項２】
請求項１記載の構成よりなる洗車機用洗浄ブラシにおいて、複数の前記ブラシ片が被洗浄面に当接する時に、前記洗車機用洗浄ブラシは、一回転する間に、傾斜角度の異なる前記スリットにより分割された細分割部が当接するよう形成されてあることを特徴とする洗車機用洗浄ブラシ。
【請求項３】
請求項１又は２記載の構成よりなる洗車機用洗浄ブラシにおいて、複数の前記ブラシ片が被洗浄面に当接する時に、前記洗車機用洗浄ブラシは、一回転する間に、傾斜角度の方向が異なる前記スリットにより分割された細分割部が当接するよう形成されてあることを特徴とする洗車機用洗浄ブラシ。
【請求項４】
請求項１から３のいずれか１項に記載の構成よりなる洗車機用洗浄ブラシにおいて、複数の前記ブラシ片が被洗浄面に当接する時に、前記洗車機用洗浄ブラシは、一回転する間に、前記回転軸の軸心の垂線にたいして、前記軸心の長手方向の一方向に傾斜角度を有するブラシ片、及び前記回転軸の軸心の垂線にたいして、前記軸心の長手方向の他の方向に傾斜角度を有するブラシ片が当接するよう形成されてあることを特徴とする洗車機用洗浄ブラシ。
【請求項５】
請求項１から４のいずれか１項に記載の構成よりなる洗車機用洗浄ブラシにおいて、被洗浄面に当接する前記細分割部の端部形状は少なくとも一部に曲線形状が形成されてあることを特徴とする洗車機用洗浄ブラシ。
【請求項６】
駆動源と、被洗浄面に散布する洗浄剤及び洗浄水を噴出させるノズルと、洗浄後の被洗浄面を乾燥させる乾燥手段を備えると共に、請求項１から５のいずれか１項に記載の洗車機用洗浄ブラシを搭載した洗車機。
【手続補正２】
【補正対象書類名】明細書
【補正対象項目名】０００９
【補正方法】変更
【補正の内容】
【０００９】
前記従来の課題を解決する為に、本発明の洗車機用洗浄ブラシは、自動車あるいは車両の外面の被洗浄面に付着した汚れ等を洗浄する為の洗車機に使用する洗車機用洗浄ブラシにおいて、前記洗車機用洗浄ブラシは、ブラシ片、及び回転軸を有し、前記ブラシ片は開放側端部にスリットを有して前記回転軸の外周部に該回転軸の半径方向に延出して形成されてあると共に、前記スリットにより分割された細分割部を有し、前記スリットは前記回転軸の軸心から該回転軸の半径方向に延出する垂線にたいして、傾斜角度を有して形成されてあるもので、スリットにより分割されたブラシ片の複数の細分割部は、被洗浄面である車体にたいして斜向した洗浄軌跡を描きながら当接する。その為、細分割部により、車体の細かな凹凸部分の汚れが取り除かれると共に、車体に接触しないスリットによる切り込み部分が描いた軌跡にも、隣り合わせの細分割部が、順次、当接し、汚れを取り除くので、筋状の洗浄残りの発生が防止される。
【手続補正３】
【補正対象書類名】明細書
【補正対象項目名】００１２
【補正方法】変更
【補正の内容】
【００１２】
本発明の洗車機用洗浄ブラシは、ブラシ片に形成されたスリットが、回転軸の軸心から該回転軸の半径方向に延出する垂線にたいして、傾斜角度を有して形成されているので、スリットにより分割されたブラシ片の複数の細分割部は、被洗浄面である車体にたいして斜向した洗浄軌跡を描きながら当接する。その為、細分割部により、車体の細かな凹凸部分の汚れが取り除かれると共に、車体に接触しないスリットによる切り込み部分が描いた軌跡にも、隣り合わせの細分割部が、順次、当接し、汚れを取り除くので、筋状の洗浄残りの発生が防止され、高い洗浄機能を発揮することができる。
【手続補正４】
【補正対象書類名】明細書
【補正対象項目名】００１４
【補正方法】変更
【補正の内容】
【００１４】
第１の発明は、自動車あるいは車両の外面の被洗浄面に付着した汚れ等を洗浄する為の洗車機に使用する洗車機用洗浄ブラシにおいて、前記洗車機用洗浄ブラシは、ブラシ片、及び回転軸を有し、前記ブラシ片は開放側端部にスリットを有して前記回転軸の外周部に該回転軸の半径方向に延出して形成されてあると共に、前記スリットにより分割された細分割部を有し、前記スリットは前記回転軸の軸心から該回転軸の半径方向に延出する垂線にたいして、傾斜角度を有して形成されてあることを特徴としているもので、スリットにより分割されたブラシ片の複数の細分割部は、被洗浄面である車体にたいして斜向した洗浄軌跡を描きながら当接する。その為、細分割部により、車体の細かな凹凸部分の汚れが取り除かれると共に、車体に接触しないスリットによる切り込み部分が描いた軌跡にも、隣り合わせの細分割部が、順次、当接し、汚れを取り除くので、筋状の洗浄残りの発生が防止され、高い洗浄機能を発揮することができる。
【手続補正書】
【提出日】平成21年1月16日(2009.1.16)
【手続補正１】
【補正対象書類名】明細書
【補正対象項目名】０００２
【補正方法】変更
【補正の内容】
【０００２】
不使用時に扁平に折畳んで携行できるようにした板紙製の容器は、種々のものが提案されており、下記特許文献１ないし５には、折畳み可能な紙製の簡易花瓶が提案されている。更に、特許文献３には、容器上端の開口部の下に嵌合部を設け、花の本数に合わせて開口部の両端を、咬合部を咬合させて開口部の開口している部分の幅を小さくする技術が示されている。また、特許文献４には、容器上面の開口部以外の部分が容器側壁上辺のタブ部によって閉ざされた紙製の簡易花瓶が示されており、側壁に対するタブ部の折り曲げ角度を調節することにより、花束の茎部分の太さに合わせて開口部の大きさを変化させることを可能にした技術が示されている。
【手続補正２】
【補正対象書類名】明細書
【補正対象項目名】０００９
【補正方法】変更
【補正の内容】
【０００９】
この出願に係る発明の紙製容器は、一枚の板紙から折曲げ形成された角形断面の胴部２を備えた横型容器である。この発明の紙製容器は、縦型容器でゲーブルトップと呼ばれている切妻屋根型の閉鎖部３を容器の左右両端に備えている。この発明の紙製容器は、一枚の板紙から、山折り線ｂを介して連接する上面板１０、正面及び背面の外壁板２０及び底面板３０とで形成される胴部２を備えている。山折り線ｂを全て平行にすれば、胴部２は横置き角柱状となる。山折り線ｂを放射状に設けることにより、胴部２を裁頭角錐を横置きにした形状にすることができる。上面板１０と底面板３０のそれぞれには、その前後の山折り線ｂの中心に沿って容器両端まで伸びる折畳み線ａが設けられている。この折畳み線は、谷折り線である。
【手続補正３】
【補正対象書類名】明細書
【補正対象項目名】００２７
【補正方法】変更
【補正の内容】
【００２７】
この発明の紙製容器は、花瓶や鉛筆立てとして用いたときに転倒しにくい形状にできる。花立てや鉛筆立てとして用いたときに、花や鉛筆が大きく傾く問題は、上面板に任意の大きさの挿入口１７を設けるようにすること、及び支持穴５７を有する支持板５０を設けることによって、解決できる。そして、容器の壁面が折れ線のない外壁板とこれに連接する切妻形閉鎖部の端面板２１によって形成されており、折畳み及び製函時にこれらの部材に皺や撓みを生じさせる力が作用させず、かつこれらの板を二重構造にして鋼性や強度を付与することが容易に可能であるため、端正な容器形状を保持させることが可能である。そして、容器の正面と背面を形成する外壁板２０が折れ線を有しない１枚の板からなり、かつその両端が三角形を形作る前後の端面板２１で閉鎖されている構造であるため、内圧や収納したものの重量などの外圧による変形が小さく、端正な容器形状を維持できると共に安定である。
【手続補正４】
【補正対象書類名】明細書
【補正対象項目名】００２９
【補正方法】変更
【補正の内容】
【００２９】
以下、図面に示す実施例を参照して、この発明の実施形態を説明する。図１ないし図８は、この発明の第１実施例を示した図で、図１は使用状態を示す斜視図、図２は内部構造を破線で示した斜視図、図３は容器本体を形成する１枚の板紙の展開図、図４は補強板の正面図、図５は支持板を単独で作成する場合の支持板の展開図、図６補強板と支持板とを一枚の板紙で形成する例を示す展開図、図７は折畳み状態の正面図、図８は折畳み状態の上面図である。図９はこの発明の容器の折畳み及び製函操作を示す説明図である。
【手続補正５】
【補正対象書類名】明細書
【補正対象項目名】００３６
【補正方法】変更
【補正の内容】
【００３６】
弱め線１６は、図１に示すように、予め定めた大きさの挿入口の周縁に沿って設けておくこともできるし、、図１３に示すように、空気穴１５を中心とした放射状に設けることもできる。また、弱め線１６を設けないで空気穴１５のみを設けておき、製函した後に使用者がカッタや挟みで好みの大きさの挿入口を開けるようにすることもできる。
【手続補正６】
【補正対象書類名】明細書
【補正対象項目名】００４２
【補正方法】変更
【補正の内容】
【００４２】
この発明の容器は、使用状態で人の目に触れやすい外壁板２０及び端面板２１が皺になったり折れ曲がったりすることがなく、従って端正な容器形状を保持できる。また、この外壁板２０や端面板２１に種々の色彩や模様を印刷や化粧紙の貼り付けなどによって表すことにより、種々の美観を備えた紙製容器を得ることができる。また、容器自体を倒れにくい形状にできると共に、収容した内容物が倒れてしまうのを支持板を設けることによって防止することができる。従って、安定で転倒するおそれの少ない花瓶や鉛筆立てとして利用することができる。挿入口１７は、容器を左右方向に細長い形状として２個ないし３個以上設けることができ、それに対応する個数の支持穴を設けた支持板を供えたものとすることが容易に可能であるから、種々の対応で花を生けることができる紙製花瓶を提供することもできる。
【手続補正書】
【提出日】平成21年7月13日(2009.7.13)
【手続補正１】
【補正対象書類名】特許請求の範囲
【補正対象項目名】請求項１
【補正方法】変更
【補正の内容】
【請求項１】
開口部を有し液体を溜める本体と、前記開口部に装着されるノズルと、前記ノズルを覆って前記本体に取り外し可能に装着される蓋とを備え、
前記ノズルは、
ゴム弾性を有した狭窄部に設けられて前記本体の姿勢に因らずに前記液体を溜める貯留部と、
前記開口部から前記貯留部へ通じる液体供給路と、
前記液体供給路と前記貯留部との間に設けられ前記狭窄部が扁平された場合に密着してこれら互いの間の連通を遮断する凸部と、
前記貯留部と前記液体供給路との間の連通が前記凸部によって塞がれた状態で前記貯留部の内圧が一定の圧力を超えた場合に開かれて前記貯留部の液体を噴出させる弁と
を有することを特徴とする液体搾出ノズル付容器。
【手続補正２】
【補正対象書類名】特許請求の範囲
【補正対象項目名】請求項３
【補正方法】変更
【補正の内容】
【請求項３】
請求項１に記載の液体搾出ノズル付容器は、さらに、
前記ノズルを挟んで対称に一対に設けられ、前記狭窄部を扁平させるレバー
を備えることを特徴とする。
【手続補正３】
【補正対象書類名】特許請求の範囲
【補正対象項目名】請求項４
【補正方法】変更
【補正の内容】
【請求項４】
請求項１に記載の液体搾出ノズル付容器において、
前記弁は、前記液体が通る噴出方向に沿って幅を有して密着するスリットによって構成されていることを特徴とする。
【手続補正４】
【補正対象書類名】明細書
【補正対象項目名】００１０
【補正方法】変更
【補正の内容】
【００１０】
本発明に係る液体搾出ノズル付容器は、開口部を有し液体を溜める本体と、開口部に装着されるノズルと、ノズルを覆って本体に取り外し可能に装着される蓋とを備える。ノズルは、貯留部と液体供給路と凸部と弁とを有する。貯留部は、ゴム弾性を有した狭窄部に設けられ本体の姿勢に因らずに液体を溜める。液体供給路は、開口部から貯留部へ通じる。凸部は、貯留部と液体供給路との間に設けられ狭窄部が扁平された場合に密着して貯留部に液体を滞留させたまま液体供給路と貯留部との間の連通を遮断する。弁は、通常閉じられており、貯留部と液体供給路との間の連通が凸部によって塞がれた状態で貯留部の内圧が一定の圧力を超えた場合に開かれて貯留部の液体を噴出させる。
【手続補正５】
【補正対象書類名】明細書
【補正対象項目名】００１１
【補正方法】変更
【補正の内容】
【００１１】
この場合、ノズルは、液体供給路から本体内部に延びる導管をさらに備えることが好ましい。さらにノズルを挟んで対称に一対に設けられて狭窄部を扁平させるレバーを備えることも好ましい。
【手続補正６】
【補正対象書類名】明細書
【補正対象項目名】００２９
【補正方法】変更
【補正の内容】
【００２９】
なお、弁３５の形状は、第１の実施形態の弁３５のように、一方向に切開された形状であっても良い。この場合、弁３５は、一対のレバー６が並ぶ方向に沿って幅を有するか、レバー６が並ぶ方向を横切る方向に幅を有するかによって、挙動が異なる。したがって、切開される向きは、狭窄部３２の弾力性や、貯留部に蓄えられている液体Ｌの粘性および量によって、適宜選択されるものである。また、弁３５の路程は、幅よりも長く設けると、液体Ｌが噴出されたときの直進性が増すので良い。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
食品等の内容物を入れた食品パック用袋の外側に配置される外側膜状要素と、
前記食品パック用袋に圧力を作用させて食品パック用袋の開放部から食品パック用袋内の空気を抜き出すよう外側膜状要素を食品パック用袋に向けて付勢する付勢要素とを備え、
前記付勢要素で外側膜状要素を食品パック用袋に向けて付勢して、外側膜状要素を介して食品パック用袋に圧力を作用させ、食品パック用袋の中の空気を抜き出した後、外側膜状要素が食品パック用袋から離れない状態で、前記食品パック用袋の開放部を密封することができるようにした
ことを特徴とする食品パック用袋の空気抜きをして閉じる装置。
【請求項２】
食品パック用袋が、その開放部を密封する密封手段を一体的に備えている
ことを特徴とする請求項１に記載の食品パック用袋の空気抜きをして閉じる装置。
【請求項３】
食品パック用袋とは別体に構成された食品パック用袋の開放部を密封する密封手段を、さらに備えている
ことを特徴とする請求項１に記載の食品パック用袋の空気抜きをして閉じる装置。
【請求項４】
前記外側膜状要素が袋状に構成され、
前記付勢要素が外側膜状要素の内部に負圧を形成し得る吸引ポンプを備え、
袋状の外側膜状要素の内部に食品パック用袋を入れて、前記吸引ポンプで外側膜状要素の内部の空気を吸引することにより、袋状の外側膜状要素の内部に負圧を形成し、外側膜状要素を食品パック用袋に向けて付勢して、外側膜状要素を介して食品パック用袋に圧力を作用させ、食品パック用袋の中の空気を抜き出すように構成されている
ことを特徴とする請求項１〜３の何れか一項に記載の食品パック用袋の空気抜きをして閉じる装置。
【手続補正書】
【提出日】平成21年6月18日(2009.6.18)
【手続補正１】
【補正対象書類名】明細書
【補正対象項目名】００１７
【補正方法】変更
【補正の内容】
【００１７】
カウリング２６は、バーハンドル１７，１８の前方、フロントフォーク１４の前方及び両側方を覆うアッパカウル５１と、フロントフォーク１４の両側方、ラジエータ２１の両側方及びエンジン１９の前部の両側方を覆うためにアッパカウル５１の下部に取付けたミドルカウル５２と、エンジン１９の両側方を覆うためにミドルカウル５２の後部及びエンジン１９に取付けられたインナカウル５３と、車体下部の両側方及び車体下部の下方を覆うためにミドルカウル５２の下部及びメインフレーム１１，１２の下部に取付けられたロアカウル５４とからなる。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
入力されたページ記述言語に係るデータに従って描画処理を行い、画像データを形成する画像形成手段と、
前記ページ記述言語に係るデータと前記画像データとを関連付けて格納する格納手段と、
描画対象となるページ記述言語に係るデータと前記格納手段に格納されているページ記述言語に係るデータとを比較する比較手段と、
前記比較手段による比較の結果に基づいて、前記画像形成手段において形成される画像データ及び前記格納手段に格納されている画像データの中から選択する選択手段と、
前記比較手段による比較の結果に基づいて、当該描画対象となるページ記述言語に係るデータと当該データに基づき前記画像形成手段で形成された画像データとを関連付けて、前記格納手段に格納する制御を行う制御手段と
を有することを特徴とする画像形成装置。
【請求項２】
前記ページ記述言語に係るデータを、当該データにおける描画領域を格子状の領域毎に分割した領域毎のページ記述言語に係るデータに変換する変換手段と更に有し、
前記格納手段には、前記変換手段で変換された、前記分割した領域毎のページ記述言語に係るデータと、当該データに基づき前記画像形成手段で形成された画像データとが関連付けられて格納されていることを特徴とする請求項１に記載の画像形成装置。
【請求項３】
前記分割した領域は、１ページを２方向で区切った領域であることを特徴とする請求項２に記載の画像形成装置。
【請求項４】
前記分割した領域は、１ページを単一方向で区切った領域を含むことを特徴とする請求項２に記載の画像形成装置。
【請求項５】
前記比較手段は、前記ページ記述言語に係るデータの部分の比較を行う第１の比較部と、前記ページ記述言語に係るデータの全体の比較を行う第２の比較部とを含み、
前記第１の比較部は、前記描画対象となるページ記述言語に係るデータにおける部分データと、前記格納手段に格納されているページ記述言語に係るデータにおける部分データとを比較し、
前記第２の比較部は、前記第１の比較部による比較の結果、前記部分データが一致していると判定された場合に、前記描画対象となるページ記述言語に係るデータと前記格納手段に格納されているページ記述言語に係るデータとの比較を行うことを特徴とする請求項１乃至４のいずれか１項に記載の画像形成装置。
【請求項６】
入力されたページ記述言語に係るデータに従って描画処理を行い、画像データを形成する画像形成ステップと、
前記ページ記述言語に係るデータと前記画像データとを関連付けて格納手段に格納する格納ステップと、
描画対象となるページ記述言語に係るデータと前記格納手段に格納されているページ記述言語に係るデータとを比較する比較ステップと、
前記比較ステップによる比較の結果に基づいて、出力する画像データを、前記画像形成ステップにおいて形成される画像データ及び前記格納手段に格納されている画像データの中から選択する選択ステップと、
前記比較ステップによる比較の結果に基づいて、当該描画対象となるページ記述言語に係るデータと当該データに基づき前記画像形成ステップで形成された画像データとを関連付けて、前記格納手段に格納する制御を行う制御ステップと
を有することを特徴とする画像形成方法。
【請求項７】
請求項６に記載の画像形成方法をコンピュータに実行させるためのプログラム。
【手続補正２】
【補正対象書類名】明細書
【補正対象項目名】００１１
【補正方法】変更
【補正の内容】
【００１１】
前述した課題を解決するために、本発明は、入力されたページ記述言語に係るデータに従って描画処理を行い、画像データを形成する画像形成手段と、前記ページ記述言語に係るデータと前記画像データとを関連付けて格納する格納手段と、描画対象となるページ記述言語に係るデータと前記格納手段に格納されているページ記述言語に係るデータとを比較する比較手段と、前記比較手段による比較の結果に基づいて、前記画像形成手段において形成される画像データ及び前記格納手段に格納されている画像データの中から選択する選択手段と、前記比較手段による比較の結果に基づいて、当該描画対象となるページ記述言語に係るデータと当該データに基づき前記画像形成手段で形成された画像データとを関連付けて、前記格納手段に格納する制御を行う制御手段とを有する画像形成装置等を提供する。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
用紙への画像形成の際、ページの途中で当該画像形成を継続できなくなる異常を検知した場合に画像形成を停止し、異常状態の解除後にリカバ動作を行う画像形成装置において、
画像形成を継続できなくなる異常を検知した場合に、リカバ対象ページ内の位置であって、画像形成のリカバを開始させるための開始位置の指定をユーザに促すための表示を行う表示手段と、
前記表示手段による表示に対し、ユーザにより指定された開始位置を獲得する獲得手段と、
前記獲得手段で獲得した開始位置に対応する画像データに基づく画像形成から再開することによりリカバ動作を行うリカバ制御手段と、
を有することを特徴とする画像形成装置。
【請求項２】
請求項１において、
前記画像形成を継続できなくなる異常は、用紙の不足であり、
前記異常状態の解除は、用紙の補給であることを特徴とする画像形成装置。
【請求項３】
請求項１において、
前記画像形成を継続できなくなる異常は、画像形成剤の不足であり、
前記異常状態の解除は、画像形成剤の補給であることを特徴とする画像形成装置。
【請求項４】
請求項１において、
前記画像形成を継続できなくなる異常は、用紙のジャムであり、
前記異常状態の解除は、用紙のジャム解除であることを特徴とする画像形成装置。
【請求項５】
用紙への画像形成の際、ページの途中で当該画像形成を継続できなくなる異常を検知した場合に画像形成を停止し、異常状態の解除後にリカバ動作を行う画像形成装置の制御方法において、
画像形成を継続できなくなる異常を検知した場合に、リカバ対象ページ内の位置であって、画像形成のリカバを開始させるための開始位置の指定をユーザに促すための表示を行う表示工程と、
前記表示工程における表示に対し、ユーザにより指定された開始位置を獲得する獲得工程と、
前記獲得工程で獲得した開始位置に対応する画像データに基づく画像形成から再開することによりリカバ動作を行うリカバ制御工程と、
を有することを特徴とする画像形成装置の制御方法。
【手続補正２】
【補正対象書類名】明細書
【補正対象項目名】００１０
【補正方法】変更
【補正の内容】
【００１０】
本発明は、用紙への画像形成の際、ページの途中で当該画像形成を継続できなくなる異常を検知した場合に画像形成を停止し、異常状態の解除後にリカバ動作を行う画像形成装置において、画像形成を継続できなくなる異常を検知した場合に、リカバ対象ページ内の位置であって、画像形成のリカバを開始させるための開始位置の指定をユーザに促すための表示を行う表示手段と、前記表示手段による表示に対し、ユーザにより指定された開始位置を獲得する獲得手段と、前記獲得手段で獲得した開始位置に対応する画像データに基づく画像形成から再開することによりリカバ動作を行うリカバ制御手段とを有することを特徴とする画像形成装置である。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
円板状の基板の中央部に塗着された粘性流体を、前記基板上の全域に展延する粘性流体塗布装置であって、
前記基板の中心を通る直径方向において前記基板に上側から臨み、前記基板上の粘性流体にエアーを吹き付けるエアー吹出し口、および前記基板の表面に対する前記エアーの吹付け角度を変更する吹付け角度変更手段を有するエアー吹付け手段と、
前記基板上における前記エアーの吹付けエリアが前記基板上の略全域をカバーするように、前記エアー吹出し口に対し前記基板を相対的に回転させる回転機構を有する吹付けエリア移動手段と、
前記エアー吹付け手段および前記エリア移動手段を制御するコントローラと、を備え、
前記コントローラは、前記基板を回転させながら前記粘性流体にエアーを吹き付ける展延動作において、前記粘性流体が拡がるようにエアーを前記基板に斜めに吹き付けた後、拡がった前記粘性流体が均一化するようにエアーを前記基板に垂直に吹き付けることを特徴とする粘性流体塗布装置。
【請求項２】
前記エアー吹出し口は、スリット状に形成されていることを特徴とする請求項１に記載の粘性流体塗布装置。
【請求項３】
前記基板を載置する載置テーブルを、さらに備え、
前記載置テーブルには、前記基板を所定の温度に加熱するテーブルヒータが組み込まれていることを特徴とする請求項１または２に記載の粘性流体塗布装置。
【請求項４】
前記エアー吹付け手段は、前記エアーを所定の温度に加熱するエアーヒータを、さらに有することを特徴とする請求項１または２に記載の粘性流体塗布装置。
【請求項５】
前記基板を第１基板とし、前記第１基板に前記粘性流体として接着剤を展延する請求項１ないし４のいずれかに記載の粘性流体塗布装置と、
前記接着剤を介して前記第１基板に第２基板を貼り合わせる基板貼合せ装置と、を備えたことを特徴とする貼合せシステム。
【手続補正２】
【補正対象書類名】明細書
【補正対象項目名】発明の名称
【補正方法】変更
【補正の内容】
【発明の名称】粘性流体塗布装置および貼合せシステム
【手続補正３】
【補正対象書類名】明細書
【補正対象項目名】０００１
【補正方法】変更
【補正の内容】
【０００１】
本発明は、接着剤等の粘性流体を基板上に塗布する粘性流体塗布装置および貼合せシステムに関するものである。
【手続補正４】
【補正対象書類名】明細書
【補正対象項目名】０００４
【補正方法】変更
【補正の内容】
【０００４】
本発明は、粘性流体を過剰に消費することなく、且つ作業効率を低下させることなく、粘性流体を基板に適切に塗布することができる粘性流体塗布装置および貼合せシステムを提供することを課題としている。
【手続補正５】
【補正対象書類名】明細書
【補正対象項目名】０００５
【補正方法】変更
【補正の内容】
【０００５】
本発明の粘性流体塗布装置は、円板状の基板の中央部に塗着された粘性流体を、基板上の全域に展延する粘性流体塗布装置であって、基板の中心を通る直径方向において基板に上側から臨み、基板上の粘性流体にエアーを吹き付けるエアー吹出し口、および基板の表面に対するエアーの吹付け角度を変更する吹付け角度変更手段を有するエアー吹付け手段と、基板上におけるエアーの吹付けエリアが基板上の略全域をカバーするように、エアー吹出し口に対し基板を相対的に回転させる回転機構を有する吹付けエリア移動手段と、エアー吹付け手段およびエリア移動手段を制御するコントローラと、を備え、コントローラは、基板を回転させながら粘性流体にエアーを吹き付ける展延動作において、粘性流体が広がるようにエアーを基板に斜めに吹き付けた後、広がった粘性流体が均一化するようにエアーを基板に垂直に吹き付けることを特徴とする。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
これらの構成によれば、エアー吹付けにより、粘性流体が吹付けエリアの周辺に拡がると共に、吹付けエリアが基板上の略全域をカバーするようにすることで、比較的高粘度（４００ｍＰａ・ｓ）の粘性流体であっても、粘性流体を基板上の略全域に薄く拡げることができる。この場合、塗着された粘性流体が無駄なく基板上に拡がるため、粘性流体を過剰に消費することがない。また、粘性流体を拡げる手段として、接触部材ではなく、エアーを用いているため、洗浄作業は不要である。したがって、粘性流体を過剰に消費することなく、且つ作業効率を低下させることなく、粘性流体を基板に適切に塗布することができる。
また、少なくとも基板の半径部分を含む吹付けエリアに対し、吹付けエリア移動手段により基板を回転することで、吹付けエリアが、基板の中心を回転中心として相対的に回転移動する。この結果、吹付けエリアが、基板上の略全域をカバーする。このため、基板に対し、エアーを周方向に連続的且つ均一に吹き付けることができ、粘性流体を周方向に均一に拡げることができる。したがって、簡易な構成により、粘性流体を基板に適切且つ効率良く塗布することができる。
さらに、基板表面に対して、エアー吹出し口の相対移動方向に向いた斜めにエアーを吹き付けることで、基板に対する吹付けエリアの相対移動方向に粘性流体が拡がる。このため、粘性流体を基板上の略全域に早く拡げることができ、処理時間を短縮することができる。また、基板表面に対してエアーを垂直に吹き付けることで、拡がった粘性流体の厚さを基板上の略全域で均一化することができる。したがって、粘性流体を基板に早く且つ均一に塗布することができる。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１８
【補正方法】変更
【補正の内容】
【００１８】
本発明の貼合せシステムは、基板を第１基板とし、第１基板に粘性流体として接着剤を展延する請求項１ないし４のいずれかに記載の粘性流体塗布装置と、接着剤を介して第１基板に第２基板を貼り合わせる基板貼合せ装置と、を備えたことを特徴とする。
【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
エレクトレット化シートの両面に、耐水性を有するフィルムを固着してなる耐水性エレクトレットシートであって、荷電のかかる素材からなるシートに電荷を付与してエレクトレット化シートとした後、耐水性を有するフィルムを固着したことを特徴とする耐水性エレクトレットシート。
【請求項２】
ＪＩＳ Ｌ １０９２ ：１９９８ ６．１（１）Ａ法に規定される耐水度が、５００ｍｍＨ２Ｏ以上であることを特徴とする請求項１記載の耐水性エレクトレットシート。
【請求項３】
請求項１または２記載の耐水性エレクトレットシートを、該シートの表面に空気が沿って流れる平行流となるように折り曲げ加工することにより、内部に多数の空気通過セルを形成せしめたことを特徴とする平行流型エアフィルター。
【手続補正２】
【補正対象書類名】明細書
【補正対象項目名】０００９
【補正方法】変更
【補正の内容】
【０００９】
上記目的を達成するため、本発明に係る耐水性エレクトレットシートは、エレクトレット化シートの両面に、耐水性を有するフィルムを固着してなる耐水性エレクトレットシートであり、かつ、荷電のかかる素材からなるシートに電荷を付与してエレクトレット化シートとした後、耐水性を有するフィルムを固着したことを特徴とする。
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
顔料（Ａ）表面に、非水溶媒に可溶な重合性不飽和基を含有するポリマー（Ｂ−１）と非水溶媒に可溶でありかつ重合後に不溶もしくは難溶になる少なくとも１種の重合性不飽和単量体（Ｂ−２）とを共重合することにより得られるポリマー（Ｂ）を有することを特徴とするポリマーコート顔料。
【請求項２】
前記ポリマー（Ｂ）が、顔料(Ａ)、非水溶媒及び該非水溶媒に可溶な重合性不飽和基を含有するポリマー（Ｂ−１）の存在下で、該非水溶媒に可溶でありかつ重合後に不溶もしくは難溶になる少なくとも１種の重合性不飽和単量体（Ｂ−２）を重合させて得たものである請求項１に記載のポリマーコート顔料。
【請求項３】
前記非水溶媒が脂肪族炭化水素系溶剤及び／又は脂環式炭化水素系溶剤を含む、請求項１または２に記載のポリマーコート顔料。
【請求項４】
請求項１〜３のいずれかに記載のポリマーコート顔料の製造方法であって、顔料(Ａ)、非水溶媒及び該非水溶媒に可溶な重合性不飽和基を含有するポリマー（Ｂ−１）の存在下で、該非水溶媒に可溶でありかつ重合後に不溶もしくは難溶になる少なくとも１種の重合性不飽和単量体（Ｂ−２）を重合させることを特徴とするポリマーコート顔料の製造方法。
【請求項５】
前記非水溶媒が脂肪族炭化水素系溶剤及び／又は脂環式炭化水素系溶剤を含む、請求項４に記載のポリマーコート顔料の製造方法。
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
環を構成する最小単位の原子数が１２以上の大環状化合物を含有することを特徴とする光硬化性組成物。
【請求項２】
前記環を構成する最小単位の原子数が１２以上の特定環状化合物が、シクロデキストリン骨格を有する化合物である請求項１に記載の光硬化性組成物。
【請求項３】
前記シクロデキストリン骨格を有する化合物が、α−シクロデキストリン、β−シクロデキストリン、γ−シクロデキストリン、及び、その誘導体から選択される化合物である請求項２に記載の光硬化性組成物。
【請求項４】
さらに、重合性化合物を含有する請求項１〜請求項３のいずれか１項に記載の光硬化性組成物。
【請求項５】
前記重合性化合物が、アクリル酸及びその誘導体から選択されるラジカル重合性化合物である請求項４に記載の光硬化性組成物。
【請求項６】
請求項１〜請求項５のいずれか１項に記載の光硬化性組成物を含むことを特徴とするインク組成物。
【請求項７】
着色剤を含有することを特徴とする請求項６に記載のインク組成物。
【請求項８】
インクジェット記録用であることを特徴とする請求項６又は請求項７に記載のインク組成物。
【請求項９】
被記録媒体上にインク組成物をインクジェット記録装置により吐出する工程、及び
吐出されたインク組成物に活性放射線を照射してインク組成物を硬化する工程、を含むインクジェット記録方法であって、前記インク組成物が請求項６〜請求項８のいずれか１項に記載のインク組成物であることを特徴とするインクジェット記録方法。
【請求項１０】
前記活性放射線が、発光ピーク波長が３５０〜４２０ｎｍの範囲にあり、かつ被記録媒体表面での最高照度が１０〜２，０００ｍＷ／ｃｍ2となる紫外線を発生する発光ダイオードにより照射される紫外線であることを特徴とする請求項９に記載のインクジェット記録方法。
【請求項１１】
請求項９又は請求項１０に記載のインクジェット記録方法によって記録されたことを特徴とする印刷物。
【請求項１２】
請求項６〜請求項８のいずれか１項に記載のインク組成物を支持体上に吐出する工程、及び
吐出されたインク組成物に活性放射線を照射して、前記インク組成物を硬化させることにより、前記インク組成物が硬化してなる疎水性画像を前記支持体上に形成する工程、を含むことを特徴とする平版印刷版の製造方法。
【請求項１３】
請求項１２に記載の平版印刷版の製造方法によって製造されたことを特徴とする平版印刷版。
【手続補正２】
【補正対象書類名】明細書
【補正対象項目名】００２１
【補正方法】変更
【補正の内容】
【００２１】
特定環状化合物としては、クラウンエーテル、カリックスアレン、シクロデキストリン等が挙げられる。特に、シクロデキストリン骨格を有する化合物が好ましい。以下に、特定環状化合物の代表的な具体例として、例示化合物（１）〜（１７）を挙げるが、本発明はこれらの具体例に何ら限定されるものではない。
１２−クラウン−４（例示化合物（１））、１５−クラウン−５（例示化合物（２））、８−クラウン−６（例示化合物（３））、カリックス［４］アレン（例示化合物（４））、カリックス［５］アレン（例示化合物（５））、カリックス［６］アレン（例示化合物（６））、カリックス［８］アレン（例示化合物（７））、カリックス［４］ピロール（例示化合物（８））、チアカリックス［４］アレン（例示化合物（９））、α−シクロデキストリン（例示化合物（１０））、β−シクロデキストリン（例示化合物（１１））、γ−シクロデキストリン（例示化合物（１２））、トリアセチル−α−シクロデキストリン（例示化合物（１３））、トリアセチル−β−シクロデキストリン（例示化合物（１４））、メイタンシン（例示化合物（１５））、シリンドロシクロファン（例示化合物（１６））、及び下記化合物（例示化合物（１７））。
なお、上記例示化合物（１０）〜（１２）は単環の単量体シクロデキストリンであり、例示化合物（１３）及び（１４）は、相当するシクロデキストリンの水酸基部分に置換基が導入されたシクロデキストリン誘導体である。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
リグノセルロース物質から得られたヘキセンウロン酸を含む製紙用化学パルプをモノ過硫酸で処理し、その後多段漂白処理して漂白パルプを製造する方法であって、モノ過硫酸処理時に、ＩＶ族、Ｖ族、ＶＩ族元素のイオンを共存させ、かつ、処理ｐＨが２〜４であることを特徴とする漂白パルプの製造方法。
【請求項２】
前記多段漂白段が、ＩＶ族、Ｖ族、ＶＩ族元素のイオンを共存させたモノ過硫酸処理、酸性での処理段、アルカリ性での処理段がこの順番で連続した処理から始まることを特徴とする請求項１記載の漂白パルプの製造方法。
【請求項３】
前記酸性の処理段が、オゾン段、もしくは二酸化塩素段、もしくはオゾン/二酸化塩素段であることを特徴とする請求項１または２記載の漂白パルプの製造方法。
【請求項４】
前記アルカリ性の処理段が、アルカリ抽出段、酸素添加アルカリ抽出段、酸素過酸化水素添加アルカリ抽出段であることを特徴とする請求項１〜３のいずれかに記載の漂白パルプの製造方法。
【請求項５】
前記、ＩＶ族、Ｖ族、ＶＩ族元素がモリブデンであることを特徴とする請求項１〜４のいずれかに記載の漂白パルプの製造方法。
【請求項６】
前記、モノ過硫酸による処理の温度が５０〜７０℃であることを特徴とする請求項１〜５のいずれかに記載の漂白パルプの製造方法。
【手続補正書】
【提出日】平成21年1月26日(2009.1.26)
【手続補正１】
【補正対象書類名】特許請求の範囲
【補正対象項目名】請求項２
【補正方法】変更
【補正の内容】
【請求項２】
各ダイヤルは、周面に０を含むｎ個の数字が表されたものであり、前記ダイヤル強制駆動機構の各ダイヤル駆動板は、施錠および解錠の各操作時に（３６０度−３６０度／ｎ）の角度だけ回動して、各ダイヤルを符号の０がダイヤルの数だけ並んだ状態へ移行させる請求項１に記載された符号錠装置。
【手続補正２】
【補正対象書類名】明細書
【補正対象項目名】００１１
【補正方法】変更
【補正の内容】
【００１１】
この発明の好ましい実施態様においては、各ダイヤルは、周面に０を含むｎ個の数字が表されたものであり、前記ダイヤル強制駆動機構の各ダイヤル駆動板は、施錠および解錠の各操作時に（３６０度−３６０度／ｎ）の角度だけ回動して、各ダイヤルを数字の０がダイヤルの数だけ並んだ状態へ移行させるものであるが、これに限らず、「０」以外の数字がダイヤル数だけ並んだ符号列の整列状態に移行させるようにしてもよい。なお、符号は数字に限らず、英文字などであってもよく、また図柄であってもよい。
【手続補正３】
【補正対象書類名】明細書
【補正対象項目名】００２９
【補正方法】変更
【補正の内容】
【００２９】
図９および図１０は、「開状態」から「閉状態」へ約１００度回動したときの状態を示している。この状態では第２の押爪５１ｂが作動軸４の先端部４１の手前位置まで達している。第２の押爪５１ｂは押圧面５２が作動軸４の先端部４１に向いていないので、作動軸４の先端部４１に押圧力は作用せず、作動軸４に関わることなく作動軸４の位置を通過する。
【手続補正４】
【補正対象書類名】明細書
【補正対象項目名】００３０
【補正方法】変更
【補正の内容】
【００３０】
図１１および図１２は、「開状態」から「閉状態」へ約１４０度回動したときの状態、すなわち、「開状態」を示している。この状態では、作動軸４は圧縮バネ４０のバネ力を受けてその先端部４１が外筒２２の第２の凹部５０ｂへ嵌入している。この嵌入状態のとき、作動軸４はアクチュエータ２の側へ最も変位した「第１変位位置」になっている。
【手続補正５】
【補正対象書類名】明細書
【補正対象項目名】００３７
【補正方法】変更
【補正の内容】
【００３７】
この実施例のダイヤル強制駆動機構９は、作動軸４上に各ダイヤル３に対応させてダイヤル駆動板９０と、各ダイヤル駆動板９０を対応する各ダイヤル３に近づけたり遠ざけたりして変位させる変位機構１００とで構成されている。各ダイヤル駆動板９０は、図１９〜図２１に示すように、内周面に作動軸４と一体回動が可能なように作動軸４の各凸子４２ａ，４２ｂが係合する切欠溝９１ａ，９１ｂが形成されている。各切欠溝９１ａ，９１ｂは、凸子４２ａ，４２ｂと係合した状態のとき、３６０度／ｎ（ただし、ｎは符号数）に相当する角度（この実施例では、３６０度／１０＝３６度）の遊びが設定してあり、これにより作動軸４が３６０度回動するのに対して、ダイヤル駆動板９０が（３６０度−３６０度／ｎ）に相当する角度（この実施例では、３６０度−３６０度／１０＝３２４度）だけ回動するようにしている。すなわち、「０」が４個並んだ初期符号列の整列状態へ移行させるために、各ダイヤル３を最大９符号分だけ強制回動させるものである。
【手続補正６】
【補正対象書類名】図面
【補正対象項目名】図３
【補正方法】変更
【補正の内容】
【図３】
2008088673.tif 000001
【手続補正７】
【補正対象書類名】図面
【補正対象項目名】図４
【補正方法】変更
【補正の内容】
【図４】
2008088673.tif 000002
【手続補正８】
【補正対象書類名】図面
【補正対象項目名】図５
【補正方法】変更
【補正の内容】
【図５】
2008088673.tif 000003
【手続補正９】
【補正対象書類名】図面
【補正対象項目名】図６
【補正方法】変更
【補正の内容】
【図６】
2008088673.tif 000004
【手続補正１０】
【補正対象書類名】図面
【補正対象項目名】図７
【補正方法】変更
【補正の内容】
【図７】
2008088673.tif 000005
【手続補正１１】
【補正対象書類名】図面
【補正対象項目名】図８
【補正方法】変更
【補正の内容】
【図８】
2008088673.tif 000006
【手続補正１２】
【補正対象書類名】図面
【補正対象項目名】図９
【補正方法】変更
【補正の内容】
【図９】
2008088673.tif 000007
【手続補正１３】
【補正対象書類名】図面
【補正対象項目名】図１０
【補正方法】変更
【補正の内容】
【図１０】
2008088673.tif 000008
【手続補正１４】
【補正対象書類名】図面
【補正対象項目名】図１１
【補正方法】変更
【補正の内容】
【図１１】
2008088673.tif 000009
【手続補正１５】
【補正対象書類名】図面
【補正対象項目名】図１２
【補正方法】変更
【補正の内容】
【図１２】
2008088673.tif 000010
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
大便器の上部に配置されたケーシングに当該大便器のボウル部内を照らす照明と、前記
大便器内で掃除を行うための清掃モードを実行させると共に当該清掃モードが作動すると
前記照明が点灯するように制御する制御部と、を設けたことを特徴とする便器装置。
【請求項２】
前記ケーシングに便座を起伏可能に設け、前記清掃モードとして、前記便座への非着座
状態において、前記ケーシング内に進退可能に収容された洗浄ノズルを前記ボウル部に進
出させるノズル清掃モードを設けたことを特徴とする請求項１の便器装置。
【請求項３】
前記清掃モードとして、前記ボウル部内の溜水を排出して当該ボウル部をほぼ空にした
状態を所定時間維持する便器清掃モードを設けたことを特徴とする請求項１の便器装置。
【請求項４】
前記清掃モードは、作動開始後、所定時間経過すると自動的に終了すると共に、当該清
掃モードが終了する前に前記照明の点灯状態を変更することを特徴とする請求項１〜３の
いずれかに記載の便器装置。
【請求項５】
前記清掃モードの作動中に当該清掃モードを作動開始する操作手段を操作すると当該清
掃モードの作動時間が延長されることを特徴とする請求項４の便器装置。
【請求項６】
前記清掃モードは、作動開始後、所定時間経過すると自動的に終了すると共に、前記清掃モードの作動中に当該清掃モードを作動開始する操作手段を操作すると当該清掃モードの作動時間が延長されることを特徴とする請求項１の便器装置。
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
所定の設置面に設置され操作ハンドルの回転量で吐水量を制御する流量調整バルブが収納されたバルブケースと、前記流量調整バルブによって流量調整された水を底部から導入して吐水するスパウトと、を備えた水栓装置であって、
前記スパウトは前記設置面に開設されたスパウト取付孔に当該設置面の上方から挿入固定され、
前記バルブケースは前記設置面に開設されたバルブケース取付孔に当該設置面上方から挿入固定され、
前記バルブケースの底面に並設されたバルブ流入孔、バルブ流出孔とそれぞれ連通するバルブ流入経路、バルブ流出経路を前記バルブケースに形成し、
給水源と前記バルブ流入孔とを連通するバルブ流入管と、前記バルブ流出孔と前記スパウト下部とを連通する可撓性のバルブ流出管と、を設け、
前記バルブ流出経路が前記バルブ流入経路の側面の一部を包囲するように前記バルブケースを形成したことを特徴とする水栓装置。
【請求項２】
前記バルブ流出管の下流側に連結された継ぎ手管に当該継ぎ手管と交差する方向に並ぶ第１連結穴と、前記第１連結穴より内径の小さな第２連結穴とを設け、
前記スパウトの底部に垂下状に連結された通水管の下端部外周に流入口を開設するとともに前記流入口の上方に前記第１連結穴に嵌入する第１嵌合部を設け、前記流入口の下方に前記第２連結穴に嵌入する第２嵌合部を設け、
前記通水管の前記第１嵌合部、前記第２嵌合部をそれぞれ前記継ぎ手管の前記第１連結穴、前記第２連結穴に嵌入させることにより前記通水管と前記継ぎ手管とを連通させ、
前記第１嵌合部と前記第１連結穴との間および前記第２嵌合部と第２連結穴との間に、それぞれリング状パッキンを介在させたことを特徴とする請求項１記載の水栓装置。
【請求項３】
前記継ぎ手管と前記通水管との交差部内において前記通水管の流入口と対向する前記継ぎ手管の内周部に、前記流入口の口径より広い拡径部を設けたことを特徴とする請求項２記載の水栓装置。
【手続補正２】
【補正対象書類名】明細書
【補正対象項目名】０００６
【補正方法】変更
【補正の内容】
【０００６】
本発明の水栓装置は、所定の設置面に設置され操作ハンドルの回転量で吐水量を制御する流量調整バルブが収納されたバルブケースと、前記流量調整バルブによって流量調整された水を底部から導入して吐水するスパウトと、を備えた水栓装置であって、
前記スパウトは前記設置面に開設されたスパウト取付孔に当該設置面の上方から挿入固定され、
前記バルブケースは前記設置面に開設されたバルブケース取付孔に当該設置面上方から挿入固定され、
前記バルブケースの底面に並設されたバルブ流入孔、バルブ流出孔とそれぞれ連通するバルブ流入経路、バルブ流出経路を前記バルブケースに形成し、
給水源と前記バルブ流入孔とを連通するバルブ流入管と、前記バルブ流出孔と前記スパウト下部とを連通する可撓性のバルブ流出管と、を設け、
前記バルブ流出経路が前記バルブ流入経路の側面の一部を包囲するように前記バルブケースを形成したことを特徴とする。
【手続補正３】
【補正対象書類名】明細書
【補正対象項目名】０００７
【補正方法】変更
【補正の内容】
【０００７】
このような構成とすれば、バルブケースを設置面の上方から取り付け固定し、可撓性を有するバルブ流出管をスパウト下部に連通させることが可能となる。このため、設置面のバルブケース取付孔にバルブケースを取り付けるときに、煩わしい作業が不要となり、施工が容易となる。また、前記バルブ流出経路が前記バルブ流入経路の側面の一部を包囲するように前記バルブケースを形成しているので、設置面のバルブケース取付孔に当該設置面の上方からバルブケースを挿入固定する構造であっても、バルブ流出経路およびバルブ流入経路の流路面積を確保することができるため、充分な吐水量を確保することができる。
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
繊維中に含まれるパーフルオロオクタン酸の含有量が１００ｐｐｂ以下であることを特徴とするポリテトラフルオロエチレン繊維。
【請求項２】
繊度が１８．０ｄｔｅｘ以下であって、その繊度バラツキが該繊度の１０％以下であることを特徴とする請求項１記載のポリテトラフルオロエチレン繊維。
【請求項３】
マトリックスとしてのビスコースとパーフルオロオクタン酸含有量が１０００ｐｐｍ以下であるポリテトラフルオロエチレンの水分散液との混合液を、硫酸濃度７〜１３％、硫酸ソーダ濃度７〜１５％を含有する凝固浴中に複数の口金孔から吐出し、紡糸、精練した後、１〜５％のリラックスを与えながら８０℃以上３２０℃未満の温度で半焼成した後、３２０〜３８０℃の温度で焼成を行ない、繊度が２ｄｔｅｘ以上１８．０ｄｔｅｘ以下であってかつ繊度ばらつきが１０％以下である請求項２記載のポリテトラフルオロエチレン繊維を製造することを特徴とするポリテトラフルオロエチレン繊維の製造方法。
【請求項４】
半焼成および／または焼成の前にアルカリ濃度０．０８〜０．１６ｗｔ％のアルカリ水溶液による洗浄を行うことを特徴とする請求項３記載のポリテトラフルオロエチレン繊維の製造方法。
【手続補正書】
【提出日】平成21年6月15日(2009.6.15)
【手続補正１】
【補正対象書類名】明細書
【補正対象項目名】００２３
【補正方法】変更
【補正の内容】
【００２３】
本発明の反応は、通常、水、有機溶媒あるいはその両者の混合物からなる液相中で行われる。有機溶媒としては、アルコール、ケトン、ニトリル、エーテル、脂肪族炭化水素、芳香族炭化水素、ハロゲン化炭化水素、エステル、グリコール、またはそれらの混合物があげられる。